(57)【要約】【課題】ダイヤル式操作部の表面に施されている標記等を視認しなくても、操作時の触感だけでダイヤル式操作部を所定の回動角度姿勢に変更することが可能な電子機器を提供する。【解決手段】本発明に係る電子機器は、機器本体１に、ダイヤル式操作部２と、該ダイヤル式操作部２を複数の回動角度姿勢にて軟係止する軟係止機構３とが配備され、該軟係止機構３は、第１係止部34と複数の第１凹部とを具え、第１係止部34は、ダイヤル式操作部２の回動角度姿勢に応じて何れかの第１凹部に軟係止される。軟係止機構３は更に、第２係止部35と、ダイヤル式操作部２の裏面の内、前記第１凹部が形成されている円周線の内側又は外側の円周線上に形成された少なくとも１つの第２凹部とを具え、該第２凹部は、複数の回動角度姿勢の内、少なくとも１つの所定の回動角度姿勢にダイヤル式操作部２が設定されたとき、第２係止部35を軟係止する位置に設けられている。【選択図】図２
2011023313.tif 000002
【特許請求の範囲】
【請求項１】
機器本体に、ダイヤル式操作部と、該ダイヤル式操作部を複数の回動角度姿勢にて軟係止する軟係止機構が配備され、該軟係止機構は、前記ダイヤル式操作部の裏面に向けて付勢された係止部と、前記ダイヤル式操作部の裏面の円周線上に形成された複数の凹部とを具え、前記係止部は、前記ダイヤル式操作部の回動角度姿勢に応じて何れかの凹部に軟係止される電子機器において、前記軟係止機構は更に、前記ダイヤル式操作部の裏面に向けて付勢された第２の係止部と、前記ダイヤル式操作部の裏面の内、前記凹部が形成されている円周線の内側又は外側の円周線上に形成された少なくとも１つの第２の凹部とを具え、該第２の凹部は、前記複数の回動角度姿勢の内、少なくとも１つの所定の回動角度姿勢に前記ダイヤル式操作部が設定されたとき、前記第２の係止部を軟係止する位置に設けられていることを特徴とする電子機器。
【請求項２】
前記複数の凹部の内、前記所定の回動角度姿勢に対応する凹部は、他の回動角度姿勢に対応する凹部よりも大きな深さ寸法を有している請求項１に記載の電子機器。
【請求項３】
前記ダイヤル式操作部の裏面には、前記複数の凹部が形成される円周線上に複数の隆起部が形成され、隣接する一対の隆起部によって各凹部が構成されており、前記所定の回動角度姿勢に対応する凹部を構成している一対の隆起部は、他の隆起部よりも大きな高さ寸法を有している請求項１又は請求項２に記載の電子機器。
【請求項４】
前記ダイヤル式操作部の裏面には、前記第２の凹部が形成される円周線上に少なくとも一対の隆起部が形成され、該一対の隆起部によって第２の凹部が構成されている請求項１乃至請求項３の何れかに記載の電子機器。
【発明の詳細な説明】
【技術分野】
【０００１】
本発明は、デジタルカメラ等、ダイヤル式操作部を具えた電子機器に関する。
【背景技術】
【０００２】
この種の電子機器においては、ダイヤル式操作部は機器本体に配備され、該機器本体には更に、ダイヤル式操作部を複数の回動角度姿勢にて軟係止する軟係止機構が配備されている（特許文献１参照）。軟係止機構は、ダイヤル式操作部の裏面に向けて付勢された係止部と、ダイヤル式操作部の裏面の円周線上に形成された複数の凹部とを具え、係止部は、ダイヤル式操作部の回動角度姿勢に応じて何れかの凹部に軟係止される。
【０００３】
上記電子機器においては、ダイヤル式操作部の回動角度姿勢を変更する場合、係止部と凹部との軟係止力に抗してダイヤル式操作部を回動させる必要があるため、ダイヤル式操作部の操作者は、ダイヤル式操作部の回動時においてダイヤル式操作部が何れかの回動角度姿勢に設定されたことを感じることが出来る。
【先行技術文献】
【特許文献】
【０００４】
【特許文献１】特開２００６−６６１４７号公報
【発明の概要】
【発明が解決しようとする課題】
【０００５】
しかしながら、従来の電子機器においては、全ての回動角度姿勢において操作感が同じであるため、操作者は、ダイヤル式操作部がどの回動角度姿勢に設定されているかを認識するためには、ダイヤル式操作部の表面に施されている標記等を視覚によって確認する必要があった。
【０００６】
そこで本発明の目的は、ダイヤル式操作部の表面に施されている標記等を視認しなくても、操作時の触感だけでダイヤル式操作部を所定の回動角度姿勢に変更することが可能な電子機器を提供することである。
【課題を解決するための手段】
【０００７】
本発明に係る電子機器は、機器本体に、ダイヤル式操作部と、該ダイヤル式操作部を複数の回動角度姿勢にて軟係止する軟係止機構とが配備され、該軟係止機構は、前記ダイヤル式操作部の裏面に向けて付勢された係止部と、前記ダイヤル式操作部の裏面の円周線上に形成された複数の凹部とを具え、前記係止部は、前記ダイヤル式操作部の回動角度姿勢に応じて何れかの凹部に軟係止される。前記軟係止機構は更に、前記ダイヤル式操作部の裏面に向けて付勢された第２の係止部と、前記ダイヤル式操作部の裏面の内、前記凹部が形成されている円周線の内側又は外側の円周線上に形成された少なくとも１つの第２の凹部とを具え、該第２の凹部は、前記複数の回動角度姿勢の内、少なくとも１つの所定の回動角度姿勢に前記ダイヤル式操作部が設定されたとき、前記第２の係止部を軟係止する位置に設けられている。
【０００８】
上記電子機器においては、ダイヤル式操作部の回動角度姿勢を変更する場合、係止部と凹部との軟係止力に抗してダイヤル式操作部を回動させる必要があるため、電子機器の操作者は、ダイヤル式操作部の回動時においてダイヤル式操作部が何れかの回動角度姿勢に設定されたことを感じることが出来る。
【０００９】
ここで、上記電子機器においては、所定の回動角度姿勢において第２の係止部が第２の凹部に軟係止されるので、該所定の回動角度姿勢からダイヤル式操作部の姿勢を変更する場合、係止部と凹部との軟係止力に第２の係止部と第２の凹部との軟係止力が加わった力に抗して、ダイヤル式操作部を回動させなければならず、通常の変更時よりも大きな操作力が必要となる。従って、所定の回動角度姿勢において操作感が変化することになり、その結果、上記電子機器の操作者は、ダイヤル式操作部が所定の回動角度姿勢に設定されていることを、他の回動角度姿勢と区別して感じることが出来る。
【００１０】
上記電子機器の具体的構成において、前記複数の凹部の内、前記所定の回動角度姿勢に対応する凹部は、他の回動角度姿勢に対応する凹部よりも大きな深さ寸法を有している。
該具体的構成によれば、所定の回動角度姿勢に対応する凹部と係合部との軟係止力は、他の回動角度姿勢に対応する凹部と係合部との軟係止力より大きくなる。よって、所定の回動角度姿勢での操作感が変化し易い。
【００１１】
上記電子機器の他の具体的構成において、前記ダイヤル式操作部の裏面には、前記複数の凹部が形成される円周線上に複数の隆起部が形成され、隣接する一対の隆起部によって各凹部が構成されており、前記所定の回動角度姿勢に対応する凹部を構成している一対の隆起部は、他の隆起部よりも大きな高さ寸法を有している。
該具体的構成によれば、ダイヤル式操作部が所定の回動角度姿勢に設定される直前に、通常の操作力よりも大きな操作力が必要となるので、操作者は、ダイヤル式操作部が所定の回動角度姿勢に設定されようとしていることを感じることが出来る。
【００１２】
上記電子機器の更なる他の具体的構成において、前記ダイヤル式操作部の裏面には、前記第２の凹部が形成される円周線上に少なくとも一対の隆起部が形成され、該一対の隆起部によって第２の凹部が構成されている。
該具体的構成によれば、ダイヤル式操作部が所定の回動角度姿勢に設定される直前に、通常の操作力よりも大きな操作力が必要となるので、操作者は、ダイヤル式操作部が所定の回動角度姿勢に設定されようとしていることを感じることが出来る。
【発明の効果】
【００１３】
本発明に係る電子機器によれば、その操作者は、ダイヤル式操作部の表面に施されている標記等を視認しなくても、操作時の触感だけでダイヤル式操作部を所定の回動角度姿勢に変更することが出来る。
【図面の簡単な説明】
【００１４】
【図１】図１は、本発明の一実施形態に係るデジタルカメラを示す斜視図である。
【図２】図２は、上記デジタルカメラが具えているダイヤル式操作部と軟係止機構の分解斜視図である。
【図３】図３は、ダイヤル式操作部の裏面構成部材を裏面側から見た斜視図である。
【図４】図４は、該裏面構成部材を裏面側から見た平面図である。
【図５】図５は、上記デジタルカメラの上面図である。
【図６】図６は、図５に示されるＡ−Ａ線に沿う断面図である。
【図７】図７（ａ）は、ダイヤル式操作部の第１の軟係止状態を示す平面図である。図７（ｂ）は、図７（ａ）に示されるＢ１−Ｂ１線に沿う断面図である。図７（ｃ）は、図７（ａ）に示されるＣ１−Ｃ１線に沿う断面図である。
【図８】図８（ａ）は、ダイヤル式操作部の第２の軟係止状態を示す平面図である。図８（ｂ）は、図８（ａ）に示されるＢ２−Ｂ２線に沿う断面図である。図８（ｃ）は、図８（ａ）に示されるＣ２−Ｃ２線に沿う断面図である。
【図９】図９（ａ）は、ダイヤル式操作部の第３の軟係止状態を示す平面図である。図９（ｂ）は、図９（ａ）に示されるＢ３−Ｂ３線に沿う断面図である。図９（ｃ）は、図９（ａ）に示されるＣ３−Ｃ３線に沿う断面図である。
【発明を実施するための形態】
【００１５】
以下、本発明をデジタルカメラに実施した形態につき、図面に沿って具体的に説明する。
図１に示す様に、本発明の一実施形態に係るデジタルカメラにおいては、機器本体(１)に、撮影対象からの光が入射するレンズ(11)と、撮影を実行するための指令を入力する撮影指令ボタン(12)と、撮影モードを設定・変更するためのダイヤル式操作部(２)とが配備されている。
【００１６】
又、本実施形態に係るデジタルカメラには複数の撮影モードＡ〜Ｍが設けられており、デジタルカメラは、ダイヤル式操作部(２)の操作によって各撮影モードに切り替えられる。
【００１７】
ダイヤル式操作部(２)は、図２に示す様に、表面に撮影モードを表すアルファベットＡ〜Ｍの標記が施されているダイヤル部材(21)と、該ダイヤル部材(21)に取り付けられてダイヤル式操作部(２)の裏面を形成する裏面構成部材(22)とを具えている。一方、機器本体(１)の表面にはダイヤル式操作部(１)の周辺位置に、ダイヤル式操作部(２)の回動角度姿勢を設定するための目印(14)が施されている。
ここで、ダイヤル式操作部(２)の回動角度姿勢は、ダイヤル式操作部(２)の表面に施されている何れかのアルファベット標記と、機器本体(１)に施されている目印(14)とが対向することとなる姿勢である。
【００１８】
ダイヤル式操作部(２)を回動させることによってダイヤル式操作部(２)が何れかの回動角度姿勢に設定されると、デジタルカメラは、該回動角度姿勢において目印(14)と対向しているアルファベット標記に対応した撮影モードに切り替えられることになる。
尚、ダイヤル式操作部(２)は、所定の角度幅にて回動操作させるものであってもよいし、正逆自在に回転操作することが出来るものであってもよい。
【００１９】
図２に示す様に、機器本体(１)には更に、上記撮影モードＡ〜Ｍに対応する複数の回動角度姿勢にダイヤル式操作部(２)を軟係止する軟係止機構(３)が配備され、該軟係止機構(３)は、第１及び第２圧縮バネ部材(31)(32)と、両圧縮バネ部材(31)(32)を設置するためのリング状の設置台(33)と、第１及び第２バネ部材(31)(32)の先端にそれぞれ取り付けられた球状の第１及び第２係止部(34)(35)と、設置台(33)の裏面に設置されると共に該設置台(33)に対して回動することが可能な回動部材(36)と、リング状の設置台(33)の内側を通って回動部材(36)とダイヤル式操作部(２)とを互いに連結する一対の連結部材(371)(372)とを具えている。
【００２０】
ここで、設置台(33)は、機器本体(１)内に配備されているシャーシ(図示せず)に一体に形成されており、機器本体(１)の表面に形成された貫通孔(13)に収容されている。又、第１圧縮バネ部材(31)と第２圧縮バネ部材(32)は、図６に示す様に、互いに連結されている回動部材(36)とダイヤル式操作部(２)とによって圧縮されており、これによって第１係止部(34)と第２係止部(35)は、ダイヤル式操作部(２)の裏面に向けてバネ付勢されている。従って、両係止部(34)(35)は、ダイヤル式操作部(２)の裏面に当接した状態で維持されて、ダイヤル式操作部(２)が回動することによってダイヤル式操作部(２)の裏面を摺動することになる。
尚、第２係止部(35)は、ダイヤル式操作部(２)の回動軸(201)に対して第１係止部(34)とは反対側の位置から回動軸回りに少しずれた位置に設けられている。
【００２１】
軟係止機構(３)は更に、図３及び図４に示す如くダイヤル式操作部(２)の裏面（裏面構成部材(22)の裏面）の円周線(202)上に形成された複数の第１凹部(23)〜(23)と、ダイヤル式操作部(２)の裏面（裏面構成部材(22)の裏面）の内、複数の第１凹部(23)〜(23)が形成されている円周線(202)の内側の円周線(203)上に形成された１つの第２凹部(24)とを具えている。
【００２２】
具体的には、ダイヤル式操作部(２)の裏面には、複数の第１凹部(23)〜(23)が形成される円周線(202)上に複数の第１隆起部(25)〜(25)が形成され、隣接する一対の第１隆起部(25)(25)によって各第１凹部(23)が構成されている。
又、ダイヤル式操作部(２)の裏面には、第２凹部(24)が形成される円周線(203)上に一対の第２隆起部(26)(26)が形成され、該一対の第２隆起部(26)(26)によって第２凹部(24)が構成されている。
【００２３】
そして、第１係止部(34)は、ダイヤル式操作部(２)の回動角度姿勢に応じて何れかの第１凹部(23)に係合し、第２凹部(24)は、複数の回動角度姿勢の内、１つの所定の回動角度姿勢（例えば、アルファベット標記Ａが目印(14)に対向することとなる回動角度姿勢）にダイヤル式操作部(２)が設定されたとき、第２係止部(35)を係合させる位置に設けられている。
尚、図面では、複数の第１凹部(23)の内、ダイヤル式操作部(２)が所定の回動角度姿勢に設定されたときに第１係止部(34)が係合する第１凹部(23)が、符号23(p)によって表されている。
【００２４】
ここで、第１凹部(23)の内壁の側面は傾斜しており、図７（ｂ）に示す様に第１凹部(23)は、その内側の空間が奥方に行くに従って狭くなっている。従って、第１係止部(34)と第１凹部(23)との係合状態は、第１係止部(34)が第１凹部(23)に軟係止された状態となる。
同様に、第２凹部(24)の内壁の側面も傾斜しており、図７（ｃ）に示す様に第２凹部(24)は、その内側の空間が奥方に行くに従って狭くなっている。従って、第２係止部(35)と第２凹部(24)との係合状態は、第２係止部(35)が第２凹部(24)に軟係止された状態となる。
【００２５】
更に上記軟係止機構(３)において、図７（ｂ）に示す様に、ダイヤル式操作部(２)が所定の回動角度姿勢に設定されたときに第１係止部(34)が軟係止される第１凹部(23(p))を構成している一対の第１隆起部(25)(25)は、他の第１隆起部(25)よりも大きな高さ寸法を有している。
【００２６】
上述したデジタルカメラにおいては、ダイヤル式操作部(２)の回動角度姿勢を変更する場合、第１係止部(34)と第１凹部(23)との軟係止力に抗してダイヤル式操作部(２)を回動させる必要があるため、デジタルカメラの操作者は、ダイヤル式操作部(２)の回動時においてダイヤル式操作部(２)が何れかの回動角度姿勢に設定されたことを感じることが出来る。
【００２７】
ここで、上記デジタルカメラにおいては、図７（ａ）〜図７（ｃ）に示す様に、第１係止部(34)が第１凹部(23(p))に軟係止された所定の回動角度姿勢において、第２係止部(35)が第２凹部(24)に軟係止される。よって、該所定の回動角度姿勢からダイヤル式操作部(２)の姿勢を変更する場合、第１係止部(34)と第１凹部(23(p))との軟係止力に第２係止部(35)と第２凹部(24)との軟係止力が加わった力に抗して、ダイヤル式操作部(２)を回動させなければならず、通常の変更時よりも大きな操作力が必要となる。従って、所定の回動角度姿勢において操作感が変化することになり、その結果、上記デジタルカメラの操作者は、ダイヤル式操作部(２)が所定の回動角度姿勢に設定されていることを、他の回動角度姿勢と区別して感じることが出来る。
【００２８】
又、上述の如く、上記デジタルカメラにおいては、ダイヤル式操作部(２)が所定の回動角度姿勢に設定されたときに第１係止部(34)が軟係止する第１凹部(23(p))を構成している一対の第１隆起部(25)(25)は、他の第１隆起部(25)よりも大きな高さ寸法を有している。従って、複数の第１凹部(23)〜(23)の内、所定の回動角度姿勢に対応する第１凹部(23(p))は、他の凹部(23)よりも大きな深さ寸法を有しており、その結果、所定の回動角度姿勢に対応する第１凹部(23(p))と第１係止部(34)との軟係止力は、他の回動角度姿勢に対応する第１凹部(23)と第１係止部(34)との軟係止力より大きくなっている。よって、所定の回動角度姿勢での操作感が変化し易い。
【００２９】
上記デジタルカメラによれば、その操作者は、ダイヤル式操作部(２)の表面に施されているアルファベット標記Ａ〜Ｍを視認しなくても、操作時の触感だけでダイヤル式操作部(２)を所定の回動角度姿勢に変更することが出来る。
【００３０】
更に、上記デジタルカメラにおいては、第１凹部(23(p))を構成している一対の第１隆起部(25)(25)は、他の第１隆起部(25)よりも大きな高さ寸法を有しているので、図８（ａ）及び図８（ｂ）に示す様に、ダイヤル式操作部(２)が所定の回動角度姿勢に設定される直前に、第１係止部(34)は、高さ寸法の大きな第１隆起部(25)を第１圧縮バネ部材(31)の付勢力に抗して乗り越えなければならない。このため、ダイヤル式操作部(２)が所定の回動角度姿勢に設定される直前においては、通常の操作力よりも大きな操作力が必要となる。よって、上記デジタルカメラの操作者は、ダイヤル式操作部(２)が所定の回動角度姿勢に設定されようとしていることを感じることが出来る。
【００３１】
ダイヤル式操作部を逆回動させている場合も同様、図９（ａ）及び図９（ｂ）に示す様に、ダイヤル式操作部(２)が所定の回動角度姿勢に設定される直前に、第１係止部(34)は、高さ寸法の大きな第１隆起部(25)を第１圧縮バネ部材(31)の付勢力に抗して乗り越えなければならない。このため、ダイヤル式操作部(２)が所定の回動角度姿勢に設定される直前においては、通常の操作力よりも大きな操作力が必要となる。よって、上記デジタルカメラの操作者は、ダイヤル式操作部(２)が所定の回動角度姿勢に設定されようとしていることを感じることが出来る。
【００３２】
更に又、上記デジタルカメラにおいては、一対の第２隆起部(26)(26)によって第２凹部(24)が構成されているので、図８（ｃ）及び図９（ｃ）に示す様に、ダイヤル式操作部(２)が所定の回動角度姿勢に設定される直前に、第２係止部(35)は、第２隆起部(26)を第２圧縮バネ部材(32)の付勢力に抗して乗り越えなければならならず、このため更に大きな操作力が必要となる。よって、上記デジタルカメラの操作者は、ダイヤル式操作部(２)が所定の回動角度姿勢に設定されようとしていることを容易に感じることが出来る。
【００３３】
尚、本発明の各部構成は上記実施形態に限らず、特許請求の範囲に記載の技術的範囲内で種々の変形が可能である。例えば、第２凹部(24)は、ダイヤル式操作部(２)の裏面の円周線(203)上に複数形成されていてもよい。この場合、各第２凹部(24)は、これに対応する所定の回動角度姿勢にダイヤル式操作部(２)が設定されたとき、第２係止部(35)を軟係止する位置に設けられる。
又、第２凹部(24)は、第１凹部(23)が形成されている円周線(202)の外側の円周線上に形成されていてもよい。
【００３４】
第１凹部(23)を構成する第１隆起部(25)は全て、同じ高さ寸法を有するものであってもよい。
【００３５】
更に、上記実施形態においては、第１係止部(34)は第１圧縮バネ部材(31)によってバネ付勢され、第２係止部(35)は第２圧縮バネ部材(32)によってバネ付勢されていたが、本発明はこれに限られるものではなく、第１係止部(34)及び第２係止部(35)はそれぞれ、他の様々な手段によってダイヤル式操作部(２)の裏面に向けて付勢されてもよい。
【００３６】
又、上記実施形態においては、第２係止部(35)は、ダイヤル式操作部(２)の回動軸(201)に対して第１係止部(34)とは反対側の位置から回動軸回りに少しずれた位置に設けられていたが、本発明はこれに限られるものではなく、第２係止部(35)は、回動軸周りの何れの位置に設けられてもよい。
【００３７】
更に又、上記デジタルカメラに採用した各種構成は、撮影モードを設定・変更するためのダイヤル式操作部を具えたデジタルカメラに限らず、シャッタースピードや絞り量等を調整するためのダイヤル式操作部を具えたデジタルカメラにも適用することが出来る。又、上記デジタルカメラに採用した各種構成は、ダイヤル式操作部を具えた種々の電子機器に適用することが出来る。
【符号の説明】
【００３８】
(１)  機器本体
(２)  ダイヤル式操作部
(23)  第１凹部
(24)  第２凹部
(25)  第１隆起部
(26)  第２隆起部
(３)  軟係止機構
(31)  第１圧縮バネ部材
(32)  第２圧縮バネ部材
(34)  第１係止部
(35)  第２係止部
(202)  円周線
(203)  円周線
【図１】
2011023313.tif 000003
【図２】
2011023313.tif 000004
【図３】
2011023313.tif 000005
【図４】
2011023313.tif 000006
【図５】
2011023313.tif 000007
【図６】
2011023313.tif 000008
【図７】
2011023313.tif 000009
【図８】
2011023313.tif 000010
【図９】
2011023313.tif 000011